(57)【要約】【課題】  係止部材を利用して重りと組立孔の周壁が互いに係止して固定することにより、両者間の結合の信頼性を高めることができる。【解決手段】  ヘッド本体９および重りが含まれる。ヘッド本体９には組立孔９１が形成され、組立孔９１の一部分の周壁には複数個の係止面９１１が設けられ、それぞれの係止面９１１は連なって非正円形の組立孔９１に形成される。上記重りは対応するようにヘッド本体９の組立孔９１の内に設置され、上記重りには本体１、重りユニット３と複数個の係止部材５が形成され、重りユニット３は本体１の内に設置され、係止部材５は対応するように本体１の環状周壁１１に設置され、本体１の環状周壁１１には係止部１３が設けられ、係止部１３は非正円形の組立孔９１の形状と同じで、組立孔９１と対応するように非正円形の外側体になるように構成されている。【選択図】  図２
0003151904.tif 000002
【実用新案登録請求の範囲】
【請求項１】
ヘッド本体（９）および重りを有するゴルフクラブヘッドにおいて、ヘッド本体（９）には組立孔（９１）が形成され、組立孔（９１）の一部分の周壁には複数個の係止面（９１１）が設けられ、それぞれの係止面（９１１）は連なって非正円形の組立孔（９１）に形成され、上記重りは対応するようにヘッド本体（９）の組立孔（９１）の内に設置され、上記重りには本体（１）、重りユニット（３）と複数個の係止部材（５）が形成され、重りユニット（３）は本体（１）の内に設置され、係止部材（５）は対応するように本体（１）の環状周壁（１１）に設置され、本体（１）の環状周壁（１１）には係止部（１３）が設けられ、係止部（１３）は非正円形の組立孔（９１）の形状と同じで、組立孔（９１）と対応するように非正円形の外側体に形成されることを特徴とするゴルフクラブヘッド。
【請求項２】
組立孔（９１）には複数個の位置決め凹部（９１２）が設けられ、位置決め凹部（９１２）は対応するように係止面（９１１）の壁面に設置されることを特徴とする請求項１記載のゴルフクラブヘッド。
【請求項３】
係止部（１３）と環状周壁（１１）との間には肩部が形成され、さらに係止面（９１１）と組立孔（９１）の内周壁面との間にはもう一個の肩部が形成され、本体（１）は係止部（１３）に形成される肩部によって組立孔（９１）に係止面（９１１）に形成されるもう一個の肩部に当接されることを特徴とする請求項１記載のゴルフクラブヘッド。
【請求項４】
本体（１）には貫穿孔（１２）と複数個の通孔（１４）が形成され、貫穿孔（１２）はそれぞれ本体（１）の上面と底面を貫穿して位置決め口（１２１）と開口（１２２）が形成され、通孔（１４）は貫穿するように本体（１）の環状周壁（１１）に設置され、そして通孔（１４）は貫穿孔（１２）とは互いに連通するように形成され、複数個の係止部材（５）は対応するように複数個の通孔（１４）の内に収容されることを特徴とする請求項１、２または３記載のゴルフクラブヘッド。
【請求項５】
上記重りには他に押圧部材（２）が形成され、押圧部材（２）は滑動自在に本体（１）の貫穿孔（１２）の内に設置され、押圧部材（２）の両端にはそれぞれ位置決め頭端（２１）と当接端（２２）が形成されることを特徴とする請求項４記載のゴルフクラブヘッド。
【請求項６】
押圧部材（２）の外周壁には当接凸部（２４）と環状溝（２５）が設けられ、当接凸部（２４）は位置決め頭端（２１）と環状溝（２５）との間に位置するように形成されることを特徴とする請求項５記載のゴルフクラブヘッド。
【請求項７】
上記重りには他に弾性部材（４）が設けられ、弾性部材（４）は本体（１）の貫穿孔（１２）の内に設置され、さらに弾性部材（４）の一端は押圧部材（２）の端面に当接され、そして弾性部材（４）の他端は重りユニット（３）の端面に当接されることを特徴とする請求項５記載のゴルフクラブヘッド。
【請求項８】
本体（１）には他に複数個の位置合せ凹部（１６）が設けられ、位置合せ凹部（１６）は本体（１）において位置決め口（１２１）が設けられる一端に設置され、そして位置合せ凹部（１６）は位置決め口（１２１）の周縁に沿って配列するように設置されることを特徴とする請求項４記載のゴルフクラブヘッド。
【請求項９】
それぞれの通孔（１４）において環状周壁（１１）の外周面に近寄る位置には止め端縁（１４１）が設けられ、止め端縁（１４１）は通孔（１４）の開口に相対して径方向へ内縮するように形成されることを特徴とする請求項４記載のゴルフクラブヘッド。
【請求項１０】
本体には他に位置決め凸部（１５）が設けられ、位置決め凸部（１５）は貫穿孔（１２）の内周壁面に設置され、そして開口（１２２）に近寄るように形成されることにより、重りユニット（３）を係止して位置決めするのに用いられることを特徴とする請求項４記載のゴルフクラブヘッド。
【請求項１１】
押圧部材（２）の当接端（２２）には収容部（２６）が設けられ、弾性部材（４）の一端は上記収容部の内に係止して位置決めされることを特徴とする請求項７記載のゴルフクラブヘッド。
【請求項１２】
重りユニット（３）には重り本体（３１）、固定部材（３２）と挟持片（３３）が含まれ、重り本体（３１）と挟持片（３３）にはそれぞれ中心孔（３１１、３３１）が形成され、固定部材（３２）には桿部（３２２）が形成され、固定部材（３２）の桿部（３２２）はそれぞれ重り本体（３１）の中心孔（３１１）と挟持片（３３）の中心孔（３３１）を貫穿し、そして重り本体（３１）と挟持片（３３）を固定部材（３２）の桿部（３２２）に鋲着することを特徴とする請求項１、２または３記載のゴルフクラブヘッド。
【請求項１３】
挟持片（３３）の環状周壁面には複数個の爪部（３３２）が配列するように設けられ、それぞれの爪部（３３２）の間には隙間が形成されることを特徴とする請求項１２記載のゴルフクラブヘッド。
【考案の詳細な説明】
【技術分野】
【０００１】
本考案は、ゴルフクラブヘッドと重りに関するもので、特に、ヘッド本体から簡単に重りを取り外すことができるゴルフクラブヘッドに係るものである。
【背景技術】
【０００２】
従来のゴルフクラブヘッドとして、図８に示すような中華民国公告第Ｍ３１６０９０号「ゴルフクラブヘッドの取り外し可能な重りの構造」（特許文献１を参照）では、ゴルフクラブヘッドの重り８は、一個の重り部材８１、二個の振動吸収パッキング８２と一個の位置決め部材８３を含んでいる。重り部材８１は円柱体で、重り部材８１の一部分の環状周壁面には当接突出環８１１が形成される。振動吸収パッキング８２は選択的に弾性材質（例えばゴムまたはポリウレタン・ＰＵ）からなり、振動吸収パッキング８２は中心位置において重り部材８１に対応するように組合せ孔８２１が形成され、二個の振動吸収パッキング８２は組合せ孔８２１によってそれぞれ重り部材８１の両端を通過するように貫穿され、そして重り部材８１の当接突出環８１１の両側に当接するまで貫穿される。位置決め部材８３には本体８３１が設けられ、本体８３１には収容空間が形成され、そして本体８３１は中心位置において位置決め孔８３２が設けられる。位置決め孔８３２は上記収容空間と連通するように形成される。また、本体８３１の外周壁には雄ねじ８３３が形成され、そして雄ねじ８３３によって本体８３１をヘッド本体９の組立孔９１の内に螺設することができる。
【０００３】
また、使用上において、図９を参照すると、重り部材８１と振動吸収パッキング８２は本体８３１の収容空間の内に収容され、そして重り部材８１の一端は位置合せするように位置決め孔８３２の内に係止される。その他に、工具（図示せず）を利用して本体８３１の上面に設けられた複数個の開閉孔８３４に位置合わせ、上記工具を利用して位置決め部材８３を駆動して回転させることにより、本体８３１は雄ねじ８３３によってヘッド本体９の組立孔９１の内に螺設することができるようにとしたものがある。
【先行技術文献】
【特許文献】
【０００４】
【特許文献１】中華民国公告第Ｍ３１６０９０号
【考案の概要】
【考案が解決しようとする課題】
【０００５】
上述した従来のゴルフクラブヘッドにおいて、一般として以下の問題点を有している。例えば、従来の重り８は雄ねじ８３３の設置によって取り外し自在にヘッド本体９に配置することができるとともに、ヘッド本体９の重心位置を簡単に調整することができる。しかし、重り８は螺設の方式によって位置決めされ、位置決め部材８３は選択的に円形の柱体からなるため、重り８を簡単に組立孔９１の内に回転してねじ込むことができるが、ヘッド本体９の打球の振動またはスイングの慣性的な作用によって重り８は簡単に回転して緩めてしまうという問題点を有しており、また螺設の方式によって重り８の形状も制限されるため、円形の柱体を任意に変えることができないという問題点を有する。このように、上記のような従来のゴルフクラブヘッドの重りはさらに改良しなければならないものであった。
【０００６】
本考案はこのような問題点に鑑みて考案されたものであって、その主な目的とするところは、重りを迅速にヘッド本体に取り付けることにより、ゴルフクラブヘッドの重心位置を調整することができるゴルフクラブヘッドを提供しようとするものである。
【０００７】
本考案の第二の目的とするところは、重りを安定してヘッド本体の組立孔の内に組み立てることにより、重りが組立孔から任意に離脱するのを避けることができるゴルフクラブヘッドを提供しようとするものである。
【課題を解決するための手段】
【０００８】
上記目的を達成するために、本考案によるゴルフクラブヘッドは、下記のようになるものである。すなわち、
ヘッド本体および重りを有する。ヘッド本体には組立孔が形成され、組立孔の一部分の周壁には複数個の係止面が設けられる。それぞれの係止面は連なって非正円形の組立孔に形成される。重りは対応するようにヘッド本体の組立孔の内に設置される。重りには本体、重りユニットと複数個の係止部材が形成される。重りユニットは本体の内に設置され、係止部材は対応するように本体の環状周壁に設置される。本体の環状周壁には係止部が設けられ、係止部は非正円形の組立孔の形状と同じで、組立孔と対応するように非正円形の外側体に形成される。
【０００９】
また、本考案によるゴルフクラブヘッドは、組立孔には複数個の位置決め凹部が設けられ、位置決め凹部は対応するように係止面の壁面に設置することもできる。また、係止部と環状周壁との間には肩部が形成され、さらに係止面と組立孔の内周壁面との間にはもう一個の肩部が形成され、本体は係止部に形成される肩部によって組立孔に係止面に形成されるもう一個の肩部に当接することもできる。また、本体には貫穿孔と複数個の通孔が形成され、貫穿孔はそれぞれ本体の上面と底面を貫穿して位置決め口と開口が形成され、通孔は貫穿するように本体の環状周壁に設置され、そして通孔は貫穿孔とは互いに連通するように形成され、複数個の係止部材は対応するように複数個の通孔の内に収容することもできる。また、重りには他に押圧部材が形成され、押圧部材は滑動自在に本体の貫穿孔の内に設置され、押圧部材の両端にはそれぞれ位置決め頭端と当接端を形成することもできる。また、押圧部材の外周壁には当接凸部と環状溝が設けられ、当接凸部は位置決め頭端と環状溝との間に位置するように形成することもできる。また、重りには他に弾性部材が設けられ、弾性部材は本体の貫穿孔の内に設置され、さらに弾性部材の一端は押圧部材の端面に当接され、そして弾性部材の他端は重りユニットの端面に当接することもできる。また、本体には他に複数個の位置合せ凹部が設けられ、位置合せ凹部は本体において位置決め口が設けられる一端に設置され、そして位置合せ凹部は位置決め口の周縁に沿って配列するように設置することもできる。また、それぞれの通孔において環状周壁の外周面に近寄る位置には止め端縁が設けられ、止め端縁は通孔の開口に相対して径方向へ内縮するように形成することもできる。また、本体には他に位置決め凸部が設けられ、位置決め凸部は貫穿孔の内周壁面に設置され、そして開口に近寄るように形成されることにより、重りユニットを係止して位置決めするのに用いることもできる。また、押圧部材の当接端には収容部が設けられ、弾性部材の一端は収容部の内に係止して位置決めすることもできる。また、重りユニットには重り本体、固定部材と挟持片が含まれ、重り本体と挟持片にはそれぞれ中心孔が形成され、固定部材には桿部が形成され、固定部材の桿部はそれぞれ重り本体の中心孔と挟持片の中心孔を貫穿し、そして重り本体と挟持片を固定部材の桿部に鋲着することもできる。また、挟持片の環状周壁面には複数個の爪部が配列するように設けられ、それぞれの爪部の間に隙間を形成することもできる。
【考案の効果】
【００１０】
本考案のゴルフクラブヘッドによれば、重りを迅速にヘッド本体に取り付けることにより、ゴルフクラブヘッドの重心位置を調整することができるという利点がある。
【００１１】
本考案のゴルフクラブヘッドによれば、重りを安定してヘッド本体の組立孔の内に組み立てることにより、重りが組立孔から任意に離脱するのを避けることができるという利点がある。
【図面の簡単な説明】
【００１２】
【図１】本考案の実施形態のゴルフクラブヘッドによる重りの分解斜視図および重りがヘッド本体に組み立てられる状態の説明図である。
【図２】本考案の実施形態のゴルフクラブヘッドによる図１の局部拡大図である。
【図３】本考案の実施形態のゴルフクラブヘッドによる工具が本体に嵌入される前の使用状態の説明図である。
【図４】本考案の実施形態のゴルフクラブヘッドによる工具が本体に嵌入されてある角度に回転された後の使用状態の説明図である。
【図５】本考案の実施形態のゴルフクラブヘッドによる重りが組立孔に嵌入される前の使用状態の説明図およびヘッド本体の局部断面図である。
【図６】本考案の実施形態のゴルフクラブヘッドによる重りが組立孔に嵌入された後の使用状態の説明図およびヘッド本体の局部断面図である。
【図７】本考案の実施形態のゴルフクラブヘッドによる工具が反対方向にある角度に回転されて貫穿溝から退き離れてからの使用状態の説明図およびヘッド本体の局部断面図である。
【図８】従来のゴルフクラブヘッドによる分解斜視図である。
【図９】従来のゴルフクラブヘッドによる組み立てられた状態の断面図である。
【考案を実施するための形態】
【００１３】
本考案の実施の形態について、以下、図面を参照して説明する。
【００１４】
図１は本考案の実施形態のゴルフクラブヘッドによる重りの分解斜視図および重りがヘッド本体に組み立てられる状態の説明図である。図１を参照すると、本考案の実施形態のゴルフクラブヘッドはウッド型のゴルフクラブヘッドに選択的に重りを配置しているが、本説明における実施形態の他に重りを選択的にアイアン型またはパター型などのゴルフクラブヘッドの構造に配置することができる。
【００１５】
図２は本考案の実施形態のゴルフクラブヘッドによる図１の局部拡大図で、図３は本考案の実施形態のゴルフクラブヘッドによる工具が本体に嵌入される前の使用状態の説明図である。図２、３を参照すると、本考案の実施形態のゴルフクラブヘッドの重りには本体１、押圧部材２、重りユニット３、弾性部材４と複数個の係止部材５が含まれる。本体１は選択的に円形の柱体からなり、押圧部材２、重りユニット３、弾性部材４と係止部材５は本体１の内に収容される。そして、本体１は取り外し自在にヘッド本体９の組立孔９１の内に組み立てることができる。
【００１６】
本体１には環状周壁１１、貫穿孔１２、係止部１３、複数個の通孔１４、位置決め凸部１５と複数個の位置合せ凹部１６が形成される。環状周壁１１は貫穿孔１２の外周を囲むように形成され、貫穿孔１２は本体１の上面と底面を貫穿して連通するように形成され、そして貫穿孔１２はそれぞれ本体１の上面と底面において貫穿するように位置決め口１２１と開口１２２が形成される。位置決め口１２１の直径は貫穿孔１２と開口１２２の直径より小さくなるように形成される。
【００１７】
係止部１３は環状周壁１１の一部分の外周壁面に環設され、そして係止部１３は環状周壁１１の外周壁面において非正円形の外側体になるように形成される。図示の実施形態においては係止部１３は選択的に正六辺形からなる。その他に、係止部１３と環状周壁１１との間には肩部が形成される。通孔１４は対応して配列するように係止部１３に設置され、通孔１４は環状周壁１１と貫穿孔１２を貫穿して互いに連通するように形成され、通孔１４は係止部材５を収容するのに用いられる。位置決め凸部１５は貫穿孔１２の内周壁面に環設され、そして開口１２２に近寄るように形成される。位置合せ凹部１６は本体１において位置決め口１２１が設けられる一端に設置され、そして位置合せ凹部１６は位置決め口１２１の周縁に沿って等間隔で配列するように設置される。
【００１８】
押圧部材２は貫穿孔１２において位置決め口１２１に近寄る位置に滑動自在に設置される。押圧部材２の両端にはそれぞれ位置決め頭端２１と当接端２２が形成され、位置決め頭端２１は位置決め口１２１の内に進入して係止することができ、さらに当接端２２は弾性部材４の一端が当接するのに用いられる。押圧部材２には環状壁２３、当接凸部２４、環状溝２５と収容部２６が設けられる。当接凸部２４と環状溝２５は全て環状壁２３の外周壁面に環設され、そして当接凸部２４は位置決め頭端２１と環状溝２５との間に設置される。収容部２６は当接端２２に形成され、そして収容部２６は弾性部材４の一端が係止して位置決めするのに用いられる。
【００１９】
重りユニット３は貫穿孔１２の内において開口１２２に近寄る位置に設置される。重りユニット３には重り本体３１、固定部材３２と挟持片３３が含まれる。重り本体３１は比重が比較的大きな材質、例えば、タングステン−フェロ−ニッケル合金、炭素鋼、低炭素鋼、ステンレス鋼、合金鋼、低合金鋼、マルエージング鋼、鋳鉄、ニッケル合金またはその他の非金属の材質などにより製成される。そして重り本体３１の比重は実質的にヘッド本体９の比重より大きくなるように形成されるが、ヘッド本体９の材質の比重より小さくなるように選択することもできるため、異なる重りの配置効果をそれぞれ提供することができる。また、重り本体３１は金属粉末に弾性樹脂を混ぜて製成することもでき、重り本体３１そのものに振動吸収の効果を提供することができる。
【００２０】
固定部材３２には頭部３２１と桿部３２２が形成され、頭部３２１は桿部３２２の一端に設置される。重り本体３１と挟持片３３にはそれぞれ中心孔３１１、３３１が設けられる。中心孔３１１、３３１は桿部３２２が位置合せして貫穿するのに用いられ、そして重り本体３１と挟持片３３を固定部材３２の桿部３２２に鋲着する。
【００２１】
その他に、挟持片３３の環状周壁面には複数個の爪部３３２が配列するように設けられ、そしてそれぞれの爪部３３２の間には隙間が形成される。これにより、爪部３３２には少しの弾性変形の能力を有するように形成されるため、挟持片３３が本体１の位置決め凸部１５を通過しようとする時、位置決め凸部１５の導引面１５１の導引によって弾性変形して内へ縮めて位置決め凸部１５を通過することができ、そして位置決め凸部１５を通過した後、直ちに弾性的に復位することができるため、挟持片３３を位置決め口１２１と位置決め凸部１５との間に制限することができ、これによって重り本体３１と固定部材３２を貫穿孔１２の内に位置決めすることができる。
【００２２】
弾性部材４は選択的にばねまたはその他の弾性的な復位の能力を有する弾性部材からなり、弾性部材４は押圧部材２と重りユニット３との間に位置するように形成される。弾性部材４の一端は収容部２６の内に当接して位置決めされ、弾性部材４の他端は重りユニット３の端面に当接するように形成される。弾性部材４の両端はそれぞれ押圧部材２の収容部２６と重りユニット３の端面に当接され、さらに弾性部材４は固定部材３２の桿部３２２に嵌設されることにより、弾性部材４は貫穿孔１２の内において任意に移動するのを避けることができる。その他に、弾性部材４の弾性的な復位の能力によって押圧部材２の位置決め頭端２１を安定して位置決め口１２１の内に係止することができ、さらに押圧部材２の環状溝２５と本体１の通孔１４とは相対的に位置をずらすように形成される。
【００２３】
本実施形態において，係止部材５は選択的に円形の金属玉からなり、係止部材５は対応するように本体１の通孔１４の内に収容され、そしてそれぞれ通孔１４の止め端縁１４１（図３参照）と押圧部材２の環状壁２３を利用して係止部材５を通孔１４の内に制限することができる。その他に、止め端縁１４１は通孔１４において環状周壁１１の外周面に近寄る位置に設置され、そして止め端縁１４１は通孔１４の開口に相対して径方向へ内縮するように形成されることにより、係止部材５は部分的に通孔１４の外に露出することができ、そして通孔１４から離脱することがない。
【００２４】
図４は本考案の実施形態のゴルフクラブヘッドによる工具が本体に嵌入されてある角度に回転された後の使用状態の説明図である。図３、４を参照すると、本実施形態では使用上において、先ず工具Ｔを利用して対応するように本体１の位置決め口１２１を通過させる。工具Ｔのその内の一方の端部の外周縁には位置決め凹部１６の配置位置に対応して複数個の位置合せ凸部Ｔ１が設けられていることにより、工具Ｔの端部が位置合せして位置決め口１２１を通過した後、ある角度を回転させることによって位置合せ凸部Ｔ１を位置決め口１２１の周縁の部位に当接させることができるため、工具Ｔの端部は貫穿孔１２の一端に係止して位置決めされる。工具Ｔが貫穿孔１２に進入した時、押圧部材２の位置決め頭端２１を押圧することにより、連帯的に弾性部材４を弾性的に圧縮変形させ、押圧部材２を開口１２２の方向に移動させることができるため、本体１の通孔１４と押圧部材２の環状溝２５は互いに位置合せして連通するように形成される。
【００２５】
図５は本考案の実施形態のゴルフクラブヘッドによる重りが組立孔に嵌入される前の使用状態を説明するための図およびヘッド本体の局部断面図で、図６は本考案の実施形態のゴルフクラブヘッドによる重りが組立孔に嵌入された後の使用状態の説明図およびヘッド本体の局部断面図である。図５、６を参照すると、工具Ｔを利用して該本体１をヘッド本体９の組立孔９１の内に位置合せして嵌入させ、通孔１４と環状溝２５は位置合せして連通するように形成されることにより、本来押圧部材２の環状壁２３によって通孔１４の内に制限される係止部材５は環状溝２５の内に内縮することができるため、本体１が位置合わせするように組立孔９１に進入される時、係止部材５は相対的に通孔１４から露出することはなく、そして本体１が組立孔９１の内において前進するのを邪魔することもない。
【００２６】
組立孔９１の孔の周壁には複数個の係止面９１１が設けられ、そしてそれぞれの係止面９１１は係止部１３に対応して連なるように非正円形の組立孔９１が形成される。本実施形態においては係止部１３と同様に選択的に正六辺形の壁面からなる。故に係止部１３は係止面９１１とは互いに位置合せした状態でなければ、本体１は組立孔９１の内に進入することができない。また、係止面９１１と組立孔９１の内周壁面との間にはもう一個の肩部が形成される。本体１が組立孔９１に進入される時、本体１は係止部１３に形成される肩部によって組立孔９１に係止面９１１に形成されるもう一個の肩部に当接することができるため、本体１は組立孔９１の適当な位置に収容される。本考案においては、係止部１３と係止面９１１の設置によって本体１を正確に位置合わせするように組立孔９１に進入して組み立てることができるため、位置がずれたりする状況は発生しにくくなる。
【００２７】
その他に、使用者は選択的に手またはその他の工具を利用して直接押圧部材２の位置決め頭端２１を押圧することにより、弾性部材４を圧迫して弾性的な圧縮変形を行わせて内縮させ、そして本体１の通孔１４と押圧部材２の環状溝２５が互いに位置合わせして連通すれば、本体１を位置合わせするようにヘッド本体９の組立孔９１の内に嵌入させることができるため、工具Ｔを使用することなく上述した重りの組み立ての手順を完成することができる。
【００２８】
図７は本考案の実施形態のゴルフクラブヘッドによる工具が反対方向にある角度に回転されて貫穿溝から退き離れてからの使用状態の説明図およびヘッド本体の局部断面図である。図６、７を参照すると、本体１を組立孔９１に進入させた後、工具Ｔを反対方向に回転させると、工具Ｔの端部の位置合せ凸部Ｔ１と位置決め口１２１を再び位置合わせすることにより、工具Ｔを貫穿孔１２から退き離すことができる。同時に、弾性部材４は弾性的復元力を提供して押圧部材２を位置決め口１２１の方向へ向って移動するように押圧させることにより、押圧部材２の位置決め頭端２１は位置決め口１２１の位置まで復位することができる。また、押圧部材２の移動に従って、環状溝２５も通孔１４と相対的に位置をずらすような状態まで復位することができ、そして係止部材５を圧迫して環状溝２５と環状壁２３との間の導引面２５１に沿って通孔１４の内に進入することにより、係止部材５は部分的に通孔１４の外に露出するように形成され、そして係止部材５の露出の部分はそれぞれ位置合わせするように組立孔９１の複数個の位置決め凹部９１２の内に係止される。また、位置決め凹部９１２は通孔１４の数と位置に対応して係止面９１１の壁面に設置される。
【００２９】
押圧部材２の環状壁２３が係止部材５の一方を押圧することにより、さらに係止部材５の露出の部位を位置決め凹部９１２の内に係止させるとの位置決めの手段により、係止部材５は任意に位置決め凹部９１２から離脱することがないため、重りとヘッド本体９との間の結合の信頼性を高めることができる。
【００３０】
その他に、係止部１３と係止面９１１は全て選択的に非正円形からなるため、打球の振動を受けるのを避けることができ、そして工具Ｔを回転する時に本体１が組立孔９１の内において緩めてしまうのを避けることができ、さらに組立の便利性を有効に高めることができる。
【００３１】
本考案の重りをヘッド本体９の組立孔９１の内から取り外す必要がある時、工具Ｔを利用して上述した組立手順を逆に行うことによって重りを取り外すことができる。この取り外し操作の手順は実質的に上述の実施形態に掲示された手順を逆順に行うだけであるため、その説明を割愛する。
【産業上の利用可能性】
【００３２】
上述の如く、本考案のゴルフクラブヘッドによれば、工具を利用して押圧部材を押圧して弾性部材を変形させることにより、押圧部材は相対的に貫穿孔の内に移動することができるため、押圧部材の環状溝と通孔は位置合せまたは位置ずらしの配置を選択することができる。これにより、重りがヘッド本体の組立孔に対応するように設置される時、本体の係止部と組立孔の係止面が互いに位置合せして組み合わせるのを利用し、さらに環状溝と通孔が位置合せしているか否かを利用し、係止部材と組立孔の周壁が互いに係止して固定しているか否かを制御することにより、ヘッド本体と重りとの間の結合の信頼性を高めることができる。
【００３３】
本考案は、その精神及び必須の特徴事項から逸脱することなく他のやり方で実施することができる。従って、本明細書に記載した好ましい実施例は例示的なものであり、限定的なものではない。
【符号の説明】
【００３４】
１    本体
１１    環状周壁
１２    貫穿孔
１２１    位置決め口
１２２    開口
１３    係止部
１４    通孔
１４１    止め端縁
１５    位置決め凸部
１５１    導引面
１６    位置合せ凹部
２    押圧部材
２１    位置決め頭端
２２    当接端
２３    環状壁
２４    当接凸部
２５    環状溝
２５１    導引面
２６    収容部
３    重りユニット
３１    重り本体
３１１    中心孔
３２    固定部材
３２１    頭部
３２２    桿部
３３    挟持片
３３１    中心孔
３３２    爪部
４    弾性部材
５    係止部材
８    重り
８１    重り部材
８１１    当接突出環
８２    振動吸収パッキング
８２１    組合せ孔
８３    位置決め部材
８３１    本体
８３２    位置決め孔
８３３    雄ねじ
８３４    開閉孔
９    ヘッド本体
９１    組立孔
９１１    係止面
９１２    位置決め凹部
Ｔ    工具
Ｔ１    位置合せ凸部
【図１】
0003151904.tif 000003
【図２】
0003151904.tif 000004
【図３】
0003151904.tif 000005
【図４】
0003151904.tif 000006
【図５】
0003151904.tif 000007
【図６】
0003151904.tif 000008
【図７】
0003151904.tif 000009
【図８】
0003151904.tif 000010
【図９】
0003151904.tif 000011